(57)【要約】【課題】高電圧の絶縁構造が不要な簡単な構成で貯蔵室内の空気から有害物質を除去すること。【解決手段】実施例の冷蔵庫はフィルタを備えている。このフィルタは冷気通路内に設けられたものであり、冷気通路内を流れる空気が通過可能な複数の孔を有している。これら複数の孔のそれぞれの内面には可視光応答性の光触媒が付着されており、扉の閉鎖状態では光源からフィルタに可視光が照射されることでフィルタの光触媒が励起する。【選択図】図１
2012172935.tif 000002
【特許請求の範囲】
【請求項１】
食品が収納されるものであって、使用者側である前面が開口する貯蔵室と、
前記貯蔵室の前面を閉鎖する閉鎖状態および前記貯蔵室の前面を開放する開放状態相互間で操作可能な扉と、
入口および出口を有するものであって、当該入口および当該出口のそれぞれが前記貯蔵室内に接続された冷気通路と、
前記貯蔵室内の空気を前記冷気通路の入口から前記冷気通路内に吸引し、前記冷気通路内に吸引した空気を前記冷気通路の出口から前記貯蔵室内に放出するファン装置と、
前記冷気通路内を流れる空気を冷却する冷却器と、
前記冷気通路内に設けられ、前記冷気通路内を流れる空気が通過可能な複数の孔を有するものであって当該複数の孔のそれぞれの内面に可視光応答性の光触媒が付着されたフィルタと、
前記扉の閉鎖状態で前記フィルタに前記フィルタの光触媒を励起するための可視光を照射する光源を備えたことを特徴とする冷蔵庫。
【請求項２】
前記光源として、
前記扉の閉鎖状態および前記扉の開放状態のそれぞれで前記貯蔵室内を照明するための可視光を投射する庫内光源と、
前記扉の閉鎖状態で前記フィルタに可視光を照射する専用光源を備えたことを特徴とする請求項１に記載の冷蔵庫。
【請求項３】
食品が収納されるものであって、使用者側である前面が開口する貯蔵室と、
前記貯蔵室の前面を閉鎖する閉鎖状態および前記貯蔵室の前面を開放する開放状態相互間で操作可能な扉と、
入口および出口を有するものであって、当該入口および当該出口のそれぞれが前記貯蔵室内に接続された冷気通路と、
前記貯蔵室内の空気を前記冷気通路の入口から前記冷気通路内に吸引し、前記冷気通路内に吸引した空気を前記冷気通路の出口から前記貯蔵室内に放出するファン装置と、
前記冷気通路内を流れる空気を冷却する冷却器と、
前記貯蔵室内に設けられ、前記冷気通路の出口から前記貯蔵室内に放出された空気が接触するものであって可視光応答性の光触媒からなる光触媒層と、
前記貯蔵室の壁面に設けられ、室内の照明器から投射された可視光を前記光触媒層に照射するための透光性の窓を備えたことを特徴とする冷蔵庫。
【請求項４】
前記窓は、
密閉された中空状をなすものであって、相互に対向する第１の透明板および第２の透明板を有すると共に当該第１の透明板および当該第２の透明板相互間に大気圧に比べて低圧の断熱空間が形成されたものであることを特徴とする請求項３に記載の冷蔵庫。
【請求項５】
食品が収納されるものであって、使用者側である前面が開口する貯蔵室と、
前記貯蔵室の前面を閉鎖する閉鎖状態および前記貯蔵室の前面を開放する開放状態相互間で操作可能な扉と、
入口および出口を有するものであって、当該入口および当該出口のそれぞれが前記貯蔵室内に接続された冷気通路と、
前記貯蔵室内の空気を前記冷気通路の入口から前記冷気通路内に吸引し、前記冷気通路内に吸引した空気を前記冷気通路の出口から前記貯蔵室内に放出するファン装置と、
前記冷気通路内を流れる空気を冷却する冷却器と、
前記冷気通路の内面に設けられ、前記冷気通路内を流れる空気が接触するものであって可視光応答性の光触媒からなる光触媒層と、
前記扉の閉鎖状態および前記扉の開放状態のそれぞれで可視光を投射するものであって、前記扉の開放状態で可視光を投射することで前記貯蔵室内を照明する庫内光源を備え、
前記冷気通路の壁面の一部または全部は、前記庫内光源から投射された可視光を前記光触媒層に照射することが可能な透光性を有していることを特徴とする冷蔵庫。
【発明の詳細な説明】
【技術分野】
【０００１】
本発明の実施例は冷蔵庫に関する。
【背景技術】
【０００２】
冷蔵庫には脱臭装置を備えたものがある。この脱臭装置は貯蔵室内に冷気を供給する冷気通路内に配置されたものであり、紫外線応答性の光触媒を有している。この紫外線応答性の光触媒は冷気通路内を流れる空気が接触するものであり、紫外線が照射されることで酸化力を発生し、酸化力を発生した場合には冷気通路内の空気から有機化合物および細菌等の有害物質を除去する。
【先行技術文献】
【特許文献】
【０００３】
【特許文献１】特開２００２−２７７１５２号公報
【発明の概要】
【発明が解決しようとする課題】
【０００４】
上記冷蔵庫の場合には空間放電機構に高電圧を印加することで紫外線を発生させる必要があるので、複雑な絶縁構造が必要になる。
【課題を解決するための手段】
【０００５】
実施例の冷蔵庫は、食品が収納されるものであって使用者側である前面が開口する貯蔵室と、前記貯蔵室の前面を閉鎖する閉鎖状態および前記貯蔵室の前面を開放する開放状態相互間で操作可能な扉と、入口および出口を有するものであって当該入口および当該出口のそれぞれが前記貯蔵室内に接続された冷気通路と、前記貯蔵室内の空気を前記冷気通路の入口から前記冷気通路内に吸引し前記冷気通路内に吸引した空気を前記冷気通路の出口から前記貯蔵室内に放出するファン装置と、前記冷気通路内を流れる空気を冷却する冷却器と、前記冷気通路内に設けられ前記冷気通路内を流れる空気が通過可能な複数の孔を有するものであって当該複数の孔のそれぞれの内面に可視光応答性の光触媒が付着されたフィルタと、前記扉の閉鎖状態で前記フィルタに前記フィルタの光触媒を励起するための可視光を照射する光源を備えたところに特徴を有する。
【図面の簡単な説明】
【０００６】
【図１】実施例１を示す図（冷蔵庫の内部構成を示す断面図）
【図２】脱臭フィルタの外観を示す図
【図３】実施例２を示す図１相当図
【図４】実施例３を示す図１相当図
【図５】実施例４を示す図１相当図
【図６】実施例５を示す図１相当図
【図７】実施例６を示す図１相当図
【図８】実施例７を示す図１相当図
【発明を実施するための形態】
【０００７】
【実施例１】
【０００８】
キャビネット１は、図１に示すように、使用者側である前面が開口する縦長な長方形状をなすものであり、底壁２と左側壁３と右側壁と天壁４と後壁５を有している。このキャビネット１は外箱の内部に内箱を収納し、外箱および内箱相互間の隙間に断熱材を充填することから構成されたものであり、底壁２と左側壁３と右側壁と天壁４と後壁５のそれぞれは可視光が透過不能にされている。このキャビネット１の内部には水平な上仕切壁６と水平な中仕切壁７と水平な下仕切壁８が固定されている。中仕切壁７は合成樹脂製のケース内に固形状の断熱材を収納することから構成されたものであり、上仕切壁６および下仕切壁８のそれぞれは合成樹脂製の板から構成されたものであり、上仕切壁６と中仕切壁７と下仕切壁８のそれぞれは可視光が透過不能にされている。
【０００９】
キャビネット１内には、図１に示すように、冷蔵室９と野菜室１０と上段冷凍室１１と下段冷凍室１２が形成されている。これら冷蔵室９と野菜室１０と上段冷凍室１１と下段冷凍室１２のそれぞれは使用者側である前面が開口するものであり、冷蔵室９は上仕切壁６の上方に形成され、野菜室１０は上仕切壁６および中仕切壁７相互間に形成され、上段冷凍室１１は中仕切壁７および下仕切壁８相互間に形成され、下段冷凍室１２は下仕切壁８の下方に形成されている。この冷蔵室９は貯蔵室に相当する。
【００１０】
キャビネット１には、図１に示すように、Ｒドア１３とＶドア１４と上Ｆドア１５と下Ｆドア１６が装着されている。これらＲドア１３とＶドア１４と上Ｆドア１５と下Ｆドア１６のそれぞれは使用者が閉鎖状態および開放状態相互間で操作可能なものであり、可視光が透過不能にされている。Ｒドア１３は冷蔵室９の前方に配置されたものであり、Ｖドア１４は野菜室１０の前方に配置されている。上Ｆドア１５は上段冷凍室１１の前方に配置されたものであり、下Ｆドア１６は下段冷凍室１２の前方に配置されている。このＲドア１３は扉に相当する。
【００１１】
Ｖドア１４は、図１に示すように、開放状態で野菜室１０の前面を野菜室１０内に対して食品を出し入れすることが可能に開放するものであり、Ｒドア１３は開放状態で冷蔵室９の前面を冷蔵室９内に対して食品を出し入れすることが可能に開放する。このＲドア１３は閉鎖状態でＲドア１３の後面と上仕切壁６の前端面との間に隙間１７を形成するものであり、冷蔵室９および野菜室１０相互間はＲドア１３およびＶドア１４の双方の閉鎖状態で隙間１７を介して空気が流通可能に接続され、冷蔵室９および野菜室１０のそれぞれはＲドア１３およびＶドア１４の双方の閉鎖状態で気密状態に閉鎖される。
【００１２】
下Ｆドア１６は、図１に示すように、開放状態で下段冷凍室１２の前面を下段冷凍室１２内に対して食品を出し入れすることが可能に開放するものであり、上Ｆドア１５は開放状態で上段冷凍室１１の前面を上段冷凍室１１内に対して食品を出し入れすることが可能に開放する。この上Ｆドア１５は閉鎖状態で上Ｆドア１５の後面と下仕切壁８の前端面との間に隙間１８を形成するものであり、上段冷凍室１１および下段冷凍室１２相互間は上Ｆドア１５および下Ｆドア１６の双方の閉鎖状態で隙間１８を介して空気が流通可能に接続され、上段冷凍室１１および下段冷凍室１２のそれぞれは上Ｆドア１５および下Ｆドア１６の双方の閉鎖状態で気密状態に閉鎖される。
【００１３】
キャビネット１内には、図１に示すように、縦カバー１９および横カバー２０が固定されている。縦カバー１９は光が透過不能な不透明なものであり、冷蔵室９内に配置されている。この縦カバー１９はキャビネット１の後壁５に沿って上下方向へ指向するものであり、後面が開口する樋状をなしている。この縦カバー１９の後面はキャビネット１の後壁５で閉鎖されており、縦カバー１９および後壁５相互間には空気が通過可能なＲ縦冷気通路２１が形成されている。横カバー２０は光が透過可能な透明なものであり、冷蔵室９内に配置されている。この横カバー２０はキャビネット１の天壁４に沿って前後方向へ指向するものであり、上面が開口する樋状をなしている。この横カバー２０の上面はキャビネット１の天壁４で閉鎖されており、横カバー２０および天壁４相互間には空気が通過可能なＲ横冷気通路２２が形成され、Ｒ横冷気通路２２の後端部はＲ縦冷気通路２１の上端部に接続されている。
【００１４】
Ｒ縦冷気通路２１およびＲ横冷気通路２２はＲ冷気通路２３を構成するものであり、Ｒ冷気通路２３には１つの入口２４と１つの最終出口２５と複数の中間出口２６が形成されている。入口２４はＲ縦冷気通路２１の下端部に形成されたものであり、野菜室１０内に配置されている。最終出口２５はＲ横冷気通路２２の前端部に形成されたものであり、冷蔵室９内に配置されている。複数の中間出口２６のそれぞれはＲ縦冷気通路２１の下端部および上端部相互間に形成されたものであり、冷蔵室９内に配置されている。このＲ冷気通路２３は冷気通路に相当し、最終出口２５は出口に相当する。
【００１５】
Ｒ冷気通路２３の入口２４には、図１に示すように、Ｒファンモータ２７が固定されている。このＲファンモータ２７の回転軸にはＲファン２８が固定されており、Ｒドア１３およびＶドア１４のそれぞれの閉鎖状態でＲファンモータ２７が運転された場合にはＲファン２８が回転することで冷蔵室９内および野菜室１０内のそれぞれの空気がＲ冷気通路２３の入口２４に進入し、Ｒ冷気通路２３の入口２４に進入した空気がＲ縦冷気通路２１内を上昇する。この空気の一部は複数の中間出口２６のそれぞれから冷蔵室９内に放出されることで冷蔵室９内を後から前へ流れ、複数の中間出口２６の全てを通過した空気は最終出口２５から冷蔵室９内に放出されることで冷蔵室９内を後から前へ流れる。即ち、Ｒファンモータ２７およびＲファン２８は空気を冷蔵室９内と野菜室１０内とＲ冷気通路２３内で循環させるＲファン装置を構成するものである。
【００１６】
キャビネット１内には、図１に示すように、Ｆ冷気通路２９が形成されている。このＦ冷気通路２９は入口３０と上出口３１と中出口３２と下出口３３を有するものであり、入口３０と中出口３２と下出口３３のそれぞれは下段冷凍室１２内に配置され、上出口３１は上段冷凍室１１内に配置されている。このＦ冷気通路２９内にはＦファンモータ３４が固定されている。このＦファンモータ３４の回転軸にはＦファン３５が固定されており、上Ｆドア１５および下Ｆドア１６のそれぞれの閉鎖状態でＦファンモータ３４が運転された場合にはＦファン３５が回転することで上段冷凍室１１内および下段冷凍室１２内のそれぞれの空気がＦ冷気通路２９の入口３０に進入する。この空気の一部は上出口３１から上段冷凍室１１内に放出されることで上段冷凍室１１内を後から前へ流れ、空気の残りは中出口３２および下出口３３のそれぞれから下段冷凍室１２内に放出されることで下段冷凍室１２内を後から前へ流れる。即ち、Ｆファンモータ３４およびＦファン３５は空気を上段冷凍室１１内と下段冷凍室１２内とＦ冷気通路２９内で循環させるＦファン装置を構成するものである。
【００１７】
キャビネット１には、図１に示すように、機械室３６が形成されている。この機械室３６はキャビネット１の外部に通じるものであり、機械室３６内には冷凍サイクルのコンプレッサ３７が固定されている。このコンプレッサ３７はコンプモータを駆動源とするものであり、冷媒を吐出する吐出口および冷媒を吸込む吸込口を有している。このコンプレッサ３７の吐出口には冷凍サイクルのコンデンサを介してＲエバポレータ３８およびＦエバポレータ３９が接続されている。これらＲエバポレータ３８およびＦエバポレータ３９のそれぞれはコンプモータが運転されている場合にコンプレッサの吐出口からコンデンサを通して冷媒が供給されるものであり、Ｒエバポレータ３８を通過した冷媒およびＦエバポレータ３９を通過した冷媒のそれぞれはコンプレッサ３７の吸込口に戻る。このＲエバポレータ３８は冷却器に相当する。
【００１８】
Ｒエバポレータ３８は、図１に示すように、Ｒ縦冷気通路２１内に固定されたものであり、１つの最終出口２５および複数の中間出口２６の全てに比べて空気の流れの下流側に配置されている。このＲエバポレータ３８はＲファンモータ２７の運転状態で空気が供給されるものであり、Ｒファンモータ２７の運転状態でコンプレッサ３７からコンデンサを通して冷媒が供給されている場合には空気から熱を奪うことで１つの最終出口２５および複数の中間出口２６のそれぞれから放出される空気を冷風化する。Ｆエバポレータ３９はＦ冷気通路２９内に固定されたものであり、上出口３１と中出口３２と下出口３３のそれぞれに比べて空気の流れの下流側に配置されている。このＦエバポレータ３９はＦファンモータ３４の運転状態で空気が供給されるものであり、Ｆファンモータ３４の運転状態でコンプレッサ３７からコンデンサを通して冷媒が供給されている場合には空気から熱を奪うことで上出口３１〜下出口３３のそれぞれから放出される空気を冷風化する。
【００１９】
キャビネット１の天壁４には、図１に示すように、冷蔵室９内に位置して庫内ＬＥＤ４０およびＬＥＤカバー４１が固定されている。庫内ＬＥＤ４０は上から下に向けて可視光を投射するものであり、Ｒドア１３の閉鎖状態および開放状態のそれぞれで電源が供給されたオン状態となることで可視光を投射する。ＬＥＤカバー４１は庫内ＬＥＤ４０を下方から覆うものであり、庫内ＬＥＤ４０から投射された可視光を冷蔵室９内の前後方向および左右方向のそれぞれの全域に拡散させる。これら庫内ＬＥＤ４０およびＬＥＤカバー４１のそれぞれはＲ冷気通路２３の最終出口２５に面するように配置されたものであり、庫内ＬＥＤ４０からＬＥＤカバー４１を通して投射された可視光の一部はＲドア１３の閉鎖状態および開放状態のそれぞれでＲ冷気通路２３の最終出口２５内に直接的に進入する。これら庫内ＬＥＤ４０およびＬＥＤカバー４１は庫内光源４２を構成するものであり、冷蔵室９内はＲドア１３の開放状態で庫内ＬＥＤ４０からＬＥＤカバー４１を通して投射された可視光で照明される。この庫内光源４２は光源に相当する。
【００２０】
冷蔵室９内には、図１に示すように、複数の透光板４３および１枚の反射板４４が固定されている。これら複数の透光板４３および１枚の反射板４４のそれぞれは食品が載せられる棚板に相当するものであり、上下方向に相互に間隔を置いて配列されている。１枚の反射板４４は最上段の透光板４３の上方に配置された水平なものであり、横カバー２０に下方から対向している。この反射板４４は光を反射可能な白色の色彩を有するものであり、庫内光源４２から投射された可視光の一部は反射板４４で反射されることで横カバー２０を通してＲ冷気通路２３の最終出口２５内に進入する。複数の透光板４３のそれぞれは光が透過可能な透明なものであり、庫内光源４２から投射された可視光のうち反射板４４で反射されなかった残りは複数の透光板４３のそれぞれを透過して進行する。
【００２１】
Ｒ冷気通路２３の最終出口２５内には、図１に示すように、脱臭フィルタ４５が固定されている。この脱臭フィルタ４５は、図２に示すように、前面および後面のそれぞれが開口するフィルタフレーム４６およびフィルタフレーム４６内に固定されたフィルタ本体４７を有するものであり、フィルタフレーム４６をキャビネット１の天壁４および横カバー２０相互間で挟むことで固定されている。この脱臭フィルタ４５のフィルタ本体４７は複数のガラス繊維を網状に組合せることから構成されたものであり、複数の孔を有している。これら複数のガラス繊維のそれぞれの表面には可視光応答性を有する光触媒（酸化タングステン）が塗布されており、複数の孔のそれぞれの内面は光触媒で覆われている。これら複数の孔のそれぞれはＲファンモータ２７の運転状態でＲ横冷気通路２２内を後から前へ流れる空気が通過可能なものであり、空気は孔を通過するときに光触媒に接触する。この光触媒はＲドア１３の閉鎖状態および開放状態のそれぞれで庫内光源４２から可視光が直接的に照射されると共に反射板４４から横カバー２０を通して可視光が間接的に照射されるものであり、可視光が直接的および間接的に照射されることで酸化力を発生する。即ち、光触媒はＲドア１３の閉鎖状態および開放状態のそれぞれで酸化力を発生するものであり、Ｒ冷気通路２３内の空気が最終出口２５から冷蔵室９内に放出される前にＲ冷気通路２３内の空気から有機化合物および細菌等の有害物質を除去する。
【００２２】
上記実施例１によれば次の効果を奏する。
Ｒ冷気通路２３内に脱臭フィルタ４５を配置し、Ｒドア１３の閉鎖状態で庫内光源４２から脱臭フィルタ４５に可視光を照射することで脱臭フィルタ４５の可視光応答性の光触媒を励起させたので、高電圧の絶縁構造が不要で庫内光源４２を利用した簡単な構成でＲ冷気通路２３内の空気から有害物質を除去することができる。しかも、可視光応答性の光触媒を脱臭フィルタ４５の複数の孔のそれぞれの内面に付着させた。このため、Ｒ冷気通路２３内の空気が脱臭フィルタ４５の複数の孔のそれぞれを通過するときの光触媒に対する接触量が増えるので、Ｒ冷気通路２３内の空気から有害物質を効率的に除去することができる。
【実施例２】
【００２３】
キャビネット１の後壁５には、図３に示すように、専用光源５１が固定されている。この専用光源５１は後から前に向けて可視光を投射するＬＥＤからなるものであり、専用光源５１から投射された可視光は脱臭フィルタ４５に照射される。この専用光源５１はＲドア１３の開放状態で電源が遮断されたオフ状態となり、Ｒドア１３の閉鎖状態で電源が供給されたオン状態となるものであり、Ｒドア１３の閉鎖状態では脱臭フィルタ４５の光触媒に庫内光源４２からの直接的な経路および庫内光源４２からの間接的な経路に加えて専用光源５１からの直接的な経路で可視光が照射され、脱臭フィルタ４５の光触媒が酸化力を発生する。この専用光源５１は光源に相当する。
【００２４】
上記実施例２においては、Ｒドア１３の閉鎖状態で庫内ＬＥＤ４０がオフ状態にされる構成としても良い。即ち、脱臭フィルタ４５の光触媒にＲドア１３の閉鎖状態で専用光源５１のみから可視光を照射しても良い。
【実施例３】
【００２５】
横カバー２０には、図４に示すように、光が透過不能な不透明な脱臭層６１が形成されている。この脱臭層６１は横カバー２０のうちＲ横冷気通路２２側の内面の全域に可視光応答性を有する光触媒（酸化タングステン）を塗布してなるものであり、Ｒファンモータ２７の運転状態でＲ横冷気通路２２内を後から前へ流れる空気が接触する。この脱臭層６１はＲドア１３の閉鎖状態および開放状態のいずれであっても庫内光源４２からの直接的な経路と庫内光源４２からの間接的な経路と専用光源５１からの直接的な経路で可視光が照射されることで酸化力を発生するものであり、Ｒ冷気通路２３内の空気が最終出口２５から冷蔵室９内に放出される前にＲ冷気通路２３内の空気から有機化合物および細菌等の有害物質を除去する。この脱臭層６１は光触媒層に相当する。
【００２６】
上記実施例３においては、Ｒドア１３の閉鎖状態で庫内ＬＥＤ４０がオフ状態にされる構成としても良い。即ち、脱臭フィルタ４５の光触媒および横カバー２０の脱臭層６１のそれぞれにＲドア１３の閉鎖状態で専用光源５１のみから可視光を照射しても良い。
【００２７】
上記実施例１〜３のそれぞれにおいては、脱臭フィルタ４５のフィルタ本体４７として複数の板材が相互に接合されたものを用いても良い。このフィルタ本体は前面および後面のそれぞれが開口する複数の多角形状の孔を有するものである。これら複数の孔のそれぞれはＲファンモータ２７の運転状態で空気が通過可能なものであり、複数の孔のそれぞれの内面には光触媒が塗布されている。
【実施例４】
【００２８】
キャビネット１内には、図５に示すように、冷蔵室９内に位置して縦カバー７１が固定されている。この縦カバー７１はキャビネット１の後壁５に沿って上下方向へ指向するものであり、後面が開口する樋状をなしている。この縦カバー７１の後面はキャビネット１の後壁５で閉鎖されており、縦カバー７１および後壁５相互間には空気が通過可能なＲ冷気通路７２が形成されている。この縦カバー７１は光が透過可能な透明なものであり、Ｒ冷気通路７２内にはＲドア１３の閉鎖状態および開放状態のそれぞれで庫内光源４２から縦カバー７１を通して可視光が照射される。
【００２９】
Ｒ冷気通路７２には、図５に示すように、１つの入口７３と１つの最終出口７４と複数の中間出口７５が形成されている。入口７３はＲ冷気通路７２の下端部に配置されたものである。この入口７３にはＲファンモータ２７が固定されており、Ｒファンモータ２７の運転状態では冷蔵室９内および野菜室１０内のそれぞれから入口７３を通してＲ冷気通路７２内に空気が進入する。複数の中間出口７５のそれぞれはＲ冷気通路７２の下端部および上端部相互間に配置されたものであり、Ｒファンモータ２７の運転状態ではＲ冷気通路７２内に進入した空気の一部が複数の中間出口７５のそれぞれから冷蔵室９内に放出される。最終出口７４はＲ冷気通路７２の上端部に配置されたものであり、Ｒファンモータ２７の運転状態では複数の中間出口７５の全てを通過した空気が最終出口７４から冷蔵室９内に放出される。このＲ冷気通路７２内にはＲエバポレータ３８が固定されている。このＲエバポレータ３８は複数の中間出口７５のそれぞれに比べて空気の流れの下流側に配置されたものであり、最終出口７４および複数の中間出口７５のそれぞれから放出される空気を冷風化する。この最終出口７４は出口に相当する。
【００３０】
キャビネット１の後壁５には、図５に示すように、Ｒ冷気通路７２内に位置して脱臭層７６が形成されている。この脱臭層７６はＲエバポレータ３８に比べて空気の流れの下流側に配置されたものであり、脱臭層７６には庫内光源４２から縦カバー７１を通して可視光が照射される。この脱臭層７６は後壁５の前面に可視光応答性を有する光触媒（酸化タングステン）を塗布してなるものであり、Ｒファンモータ２７の運転状態ではＲエバポレータ３８を通過した空気がＲ冷気通路７２内を上昇するときに脱臭層７６に接触する。この脱臭層７６はＲドア１３の閉鎖状態および開放状態のそれぞれで庫内光源４２から縦カバー７１を通して可視光が照射されることで酸化力を発生するものであり、空気がＲ冷気通路７２内を上昇するときにＲ冷気通路７２内の空気から有害物質を除去する。この脱臭層７６は光触媒層に相当する。
【００３１】
上記実施例４によれば次の効果を奏する。
Ｒ冷気通路７２の内面に脱臭層７６を形成し、庫内光源４２から投射された光を透明な縦カバー７１を通して脱臭層７６に照射することで脱臭層７６を励起させたので、高電圧の絶縁構造が不要で庫内光源４２を利用した簡単な構成でＲ冷気通路２３内の空気から有害物質を除去することができる。
【実施例５】
【００３２】
縦カバー７１の前面には、図６に示すように、複数の専用光源８１が固定されている。これら複数の専用光源８１のそれぞれは前から後に向けて可視光を投射するＬＥＤからなるものであり、Ｒ冷気通路７２の外部に配置されている。これら複数の専用光源８１のそれぞれはＲドア１３の開放状態で電源が遮断されたオフ状態になり、Ｒドア１３の閉鎖状態で電源が供給されたオン状態になるものであり、Ｒドア１３の閉鎖状態では庫内光源４２および複数の専用光源８１のそれぞれから縦カバー７１を通してＲ冷気通路７２内の脱臭層７６に可視光が照射される。この専用光源８１は光源に相当する。
【００３３】
上記実施例４〜５のそれぞれにおいては、庫内光源４２から投射された可視光を脱臭層７６に照射するための透光性の部分を縦カバー７１の一部に設けても良い。
【実施例６】
【００３４】
キャビネット１は、図７に示すように、天壁４に換えて天壁９１を有している。この天壁９１は前板９２と後板９３と左側板と右側板と天板９４と底板９５を相互に接合してなるものであり、気密状態に密閉された中空状をなしている。この天壁９１は内部空間が大気圧に比べて低圧に真空化されたものであり、天板９４および底板９５は天壁９１の真空の断熱空間を介して相互に対向している。これら天板９４および底板９５のそれぞれは光が透過可能な透明なものであり、室内の照明器具から投射された可視光は天板９４と断熱空間と底板９５を順に通って冷蔵室９内に進入する。この天壁９１は窓に相当し、天板９４は第１の透明板に相当し、底板９５は第２の透明板に相当する。
【００３５】
縦カバー７１の前面には、図７に示すように、脱臭層９６が形成されており、脱臭層９６には室内の照明器具からキャビネット１の天壁９１を通して可視光が照射される。この脱臭層９６は縦カバー７１の前面に可視光応答性を有する光触媒（酸化タングステン）を塗布してなるものであり、脱臭層９６には冷蔵室９内の空気が接触する。この脱臭層９６は室内の照明器具からキャビネット１の天壁９１を通して可視光が照射されることで酸化力を発生するものであり、酸化力を発生した場合には冷蔵室９内の空気から有害物質を除去する。この脱臭層９６は光触媒層に相当する。
【００３６】
冷蔵室９内には、図７に示すように、複数の棚板９７が固定されている。これら複数の棚板９７のそれぞれは水平なものであり、Ｒ冷気通路７２の中間出口７５に対して上下方向にずらして配置されている。これら複数の棚板９７のそれぞれの上面には脱臭層９８が形成されており、複数の脱臭層９８のそれぞれには室内の照明器具からキャビネット１の天壁９１を通して可視光が照射される。これら複数の脱臭層９８のそれぞれは棚板９７の上面に可視光応答性を有する光触媒（酸化タングステン）を塗布してなるものであり、複数の脱臭層９８のそれぞれには冷蔵室９内の空気が接触する。これら複数の脱臭層９８のそれぞれは室内の照明器具からキャビネット１の天壁９１を通して可視光が照射されることで酸化力を発生するものであり、酸化力を発生した場合には冷蔵室９内の空気から有害物質を除去する。
【００３７】
上記実施例６によれば次の効果を奏する。
冷蔵室９内に脱臭層９６および脱臭層９８を設け、室内の照明器からキャビネット１の透明な天壁９１を通して脱臭層９６および脱臭層９８のそれぞれに可視光を照射することで脱臭層９６および脱臭層９８のそれぞれを励起させたので、高電圧の絶縁構造が不要な簡単な構成で冷蔵室９内の空気から有害物質を除去することができる。しかも、キャビネット１の天壁９１に断熱空間を形成したので、冷蔵室９の断熱性能の低下が抑えられる。
【００３８】
上記実施例６においては、縦カバー７１に複数のＬＥＤを固定しても良い。これら複数のＬＥＤのそれぞれは後から前に向けて可視光を投射するものであり、複数の棚板９７のそれぞれの脱臭層９８はＬＥＤから可視光が投射されることで酸化力を発生する。この構成の場合にはＲドア１３の閉鎖状態で複数のＬＥＤのそれぞれをオン状態とし、Ｒドア１３の開放状態で複数のＬＥＤのそれぞれをオフ状態とすることが好ましい。
【実施例７】
【００３９】
キャビネット１の左側壁３と右側壁と天壁４と後壁５のそれぞれには、図８に示すように、室内側である外表面に位置して脱臭層１０１が形成されている。これら複数の脱臭層１０１のそれぞれは可視光応答性の光触媒（酸化タングステン）からなるものであり、Ｒドア１３とＶドア１４と上Ｆドア１５と下Ｆドア１６のそれぞれにも室内側である外表面に位置して脱臭層１０１が形成されている。これら全ての脱臭層１０１のそれぞれは室内の空気が接触するものであり、室内の照明器具から可視光が照射されることで酸化力を発生し、酸化力を発生した場合には室内の空気から有害物質を除去する。
【００４０】
上記実施例１〜７のそれぞれにおいては、光触媒として酸化チタンを用いても良い。
本発明のいくつかの実施例を説明したが、これらの実施例は例として提示したものであり、発明の範囲を限定することは意図していない。これら新規な実施例はその他の様々な形態で実施されることが可能であり、発明の要旨を逸脱しない範囲で種々の省略、置き換え、変更を行うことができる。これら実施例やその変形は発明の範囲や要旨に含まれると共に特許請求の範囲に記載された発明とその均等の範囲に含まれる。
【符号の説明】
【００４１】
９は冷蔵室（貯蔵室）、１３はＲドア（扉）、２３はＲ冷気通路（冷気通路）、２４は入口、２５は最終出口（出口）、３８はＲエバポレータ（冷却器）、４２は庫内光源（光源）、４５は脱臭フィルタ（フィルタ）、５１は専用光源（光源）、６１は脱臭層（光触媒層）、７２はＲ冷気通路（冷気通路）、７３は入口、７４は最終出口（出口）、７６は脱臭層（光触媒層）、８１は専用光源（光源）、９１は天壁（窓）、９４は天板（第１の透明板）、９５は底板（第２の透明板）、９６は脱臭層（光触媒層）である。
【図１】
2012172935.tif 000003
【図２】
2012172935.tif 000004
【図３】
2012172935.tif 000005
【図４】
2012172935.tif 000006
【図５】
2012172935.tif 000007
【図６】
2012172935.tif 000008
【図７】
2012172935.tif 000009
【図８】
2012172935.tif 000010